(57)【要約】【課題】  制御基板からコネクタを引き抜く作業を困難にする。【解決手段】  ネジ止め部５１１と一体に形成されたコネクタ押圧部５１２は、ハーネス側コネクタ４０１の基板側コネクタ３１１との結合を解除する方向への動作を禁止し、かしめ用キャップ５０３は、ネジ止め部５１１とかしめにより結合した状態で、ネジ５０２を覆うので、当該コネクタの引き抜き制限装置５００を基板ケース３００から取り外す場合には、前記かしめ用キャップ５０３を破壊して、前記ネジ５０２を外部から操作できるようにする必要があるので、制御基板としてのサブ制御基板３０からハーネス側コネクタ４０１を引き抜く作業を困難にすることができる。【選択図】  図４
2006218018.tif 000002
【特許請求の範囲】
【請求項１】
配線パターンが形成された制御基板と、この制御基板に固定され前記配線パターンと電気的に接続する基板側コネクタと、一端側に前記基板側コネクタと結合するハーネス側コネクタを有するハーネスと、前記制御基板を収納するとともに前記ハーネス側コネクタが通過可能な開口部を形成した基板ケースとを備える遊技機に用いられるコネクタの引き抜き制限装置であって、
前記基板ケースにネジによりネジ止め固定されるネジ止め部と、
このネジ止め部と一体に形成されるとともに、前記ハーネス側コネクタが前記基板側コネクタとの結合を解除する方向に動くときの動作空間内に配置され、前記ハーネス側コネクタを前記基板ケースの内側方向に押圧することにより、前記ハーネス側コネクタの前記基板側コネクタとの結合を解除する方向への動作を禁止するコネクタ押圧部と、
前記ネジ止め部とかしめにより結合した状態で、前記ネジを覆うことで前記ネジの外部からの操作を禁止するかしめ部材とを備えることを特徴とするコネクタの引き抜き制限装置。
【請求項２】
前記コネクタ押圧部は、前記ハーネスを挿入可能な切欠部を形成することを特徴とする請求項１記載のコネクタの引き抜き制限装置。
【発明の詳細な説明】
【技術分野】
【０００１】
本発明は、スロットマシンや弾球遊技機の遊技機等において、基板や電子機器間を接続するためのコネクタに用いられる、コネクタの引き抜き制限装置に関するものである。
【背景技術】
【０００２】
従来より、スロットマシンには各種の回路基板が搭載されている。このような回路基板としては、例えば特許文献１に記載されているように、遊技の進行等を制御しつつ抽選等を行うメイン制御基板、サウンドの出力や液晶表示ユニットの映像表示等の演出を制御するサブ制御基板、及び電源の供給制御を行う電源制御基板等が挙げられる。これらの回路基板は、例えば、ハーネスの一端に設けられたハーネス側コネクタと結合する基板側コネクタを備えており、前記ハーネスを介して他の回路基板や電子部品ユニット（例えば液晶表示ユニット）と接続するようになっている。
【０００３】
またスロットマシンのメイン制御基板及びサブ制御基板は、正規の基板やＲＯＭを用い、それ以外の基板やＲＯＭの使用を禁止する必要がある。このためメイン制御基板及びサブ制御基板は、開封できないように所定のケースに封入されており、メイン制御基板及びサブ制御基板に装着されているＲＯＭ等を正規以外のものに交換できないようにしている。
【０００４】
また、このようなメイン制御基板及びサブ制御基板の基板間は、ハーネスを介して電気的に接続されている。ハーネスは一端側及び他端側に設けたコネクタによりそれぞれメイン制御基板及びサブ制御基板側のコネクタと結合することから、正規以外の部品が接続されたハーネスと交換されてしまうおそれがあるという問題がある。このことに対応し、例えば特許文献２に記載されているように、ハーネス側の凸コネクタに取り付けられる基体部と、制御基板を収納するケースの内壁面に当接する引き抜き禁止部とを一体形成し、コネクタの引き抜きを禁止する引き抜き制限装置が提案されている。
【０００５】
【特許文献１】特開２００３−３２５９１１号公報
【特許文献２】特開２００４−２８１３０３号公報
【発明の開示】
【発明が解決しようとする課題】
【０００６】
しかしながら、上述した従来のコネクタの引き抜きを禁止する引き抜き制限装置によれば、前記基体部と前記操作禁止部との間は外部から容易に切断可能に形成され、前記基体部から前記操作禁止部を切断することにより制御基板からコネクタを引き抜き可能にしているので、正規のハーネスを不正なハーネスに取り替えようとする者に対して、制御基板からコネクタを引き抜くことを禁止にしているというメッセージが伝わりにくく、また、引き抜き制限装置に対する比較的簡単な切断作業で容易に制御基板からコネクタを引き抜ける状態にすることができる等の問題が生じていた。
【０００７】
本発明は、こうした従来の問題に鑑みてなされたものであり、制御基板からコネクタを引き抜くことを禁止にしているというメッセージを伝わり易くし、制御基板からコネクタを引き抜く作業を困難にする等が可能なコネクタの引き抜き制限装置を提供することを目的としている。
【課題を解決するための手段】
【０００８】
上述した課題を解決するため、請求項１に記載の発明は、配線パターンが形成された制御基板と、この制御基板に固定され前記配線パターンと電気的に接続する基板側コネクタと、一端側に前記基板側コネクタと結合するハーネス側コネクタを有するハーネスと、前記制御基板を収納するとともに前記ハーネス側コネクタが通過可能な開口部を形成した基板ケースとを備える遊技機に用いられるコネクタの引き抜き制限装置であって、ネジ止め部とコネクタ押圧部とを一体的に形成したコネクタカバーと、かしめ部材とを構成要素として有している。前記ネジ止め部は、前記基板ケースにネジによりネジ止め固定される。前記コネクタ押圧部は、前記ハーネス側コネクタが前記基板側コネクタとの結合を解除する方向に動くときの動作空間内に配置され、前記ハーネス側コネクタを前記基板ケースの内側方向に押圧することにより、前記ハーネス側コネクタの前記基板側コネクタとの結合を解除する方向への動作を禁止する。前記かしめ部材は、前記ネジ止め部とかしめにより結合した状態で、前記ネジを覆うことで前記ネジの外部からの操作を禁止する。
【０００９】
請求項２に記載の発明は、請求項１に記載のコネクタの引き抜き制限装置であって、前記コネクタ押圧部は、前記ハーネスを挿入可能な切欠部を形成することを特徴とする。
【００１０】
請求項１に記載のコネクタの引き抜き制限装置によれば、前記ネジ止め部と一体に形成された前記コネクタ押圧部は、前記ハーネス側コネクタの前記基板側コネクタとの結合を解除する方向への動作を禁止し、前記かしめ部材は、前記ネジ止め部とかしめにより結合した状態で、前記ネジを覆うので、当該コネクタの引き抜き制限装置を前記基板ケースから取り外す場合には、前記かしめ部材を破壊して、前記ネジを外部から操作できるようにする必要があるので、制御基板からコネクタを引き抜くことを禁止にしているというメッセージが伝わり易く、制御基板からコネクタを引き抜く作業を困難にすることができる。
【００１１】
請求項２に記載のコネクタの引き抜き制限装置によれば、コネクタ押圧部は、前記ハーネスを挿入可能な切欠部を形成しているので、前記ハーネスを前記コネクタ押圧部から容易に延出させることができる。
【発明の効果】
【００１２】
本発明のコネクタの引き抜き制限装置によれば、制御基板からコネクタを引き抜くことを禁止にしているというメッセージを伝わり易くし、制御基板からコネクタを引き抜く作業を困難にすることができる。したがって、正規のハーネスを不正なハーネスに取り替えようとする行為を抑止できる。
【発明を実施するための最良の形態】
【００１３】
以下、本発明に係るコネクタの引き抜き制限装置の好適な一実施形態としてコネクタの引き抜き制限装置を備えるスロットマシン（パチスロ機）を例に図面を参照して説明する。なお、図１は、スロットマシン１の外観構造を表した斜視図、図２は、前扉３を開放した状態におけるスロットマシン１の内部構造を表した図である。
【００１４】
図１において、スロットマシン１は、前方に開口を有する矩形状の筐体２と、前記筐体２に対して回動可能に取り付けられることで前記開口を閉塞させる前扉３とを備えている。前記筐体２内の上段側にはリール装置としてのリールユニット１００が設置されている。リールユニット１００には、回転することで周面の図柄を変動表示させる円筒状のリール１０１ａ、１０１ｂ、１０１ｃが複数並設されている。
【００１５】
以下、スロットマシン１の構成要素について詳細に説明する。
【００１６】
筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。
【００１７】
前扉３の前面側は、上部パネル部４と下部パネル部５に略区分けされている。
【００１８】
下部パネル部５は視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００１９】
また、上部パネル部４と下部パネル部５との間には、遊技者側に突出し、ゲーム操作を行うためのスイッチ類が配置されている操作卓７が一体的に形成されている。操作卓７の前記スイッチ類には、前記リール１０１ａ、１０１ｂ、１０１ｃの回転動作を操作するための操作手段も含まれている。
【００２０】
前扉３の上部パネル部４は、左右及び上部に至る領域に前側に突出した枠状部４０を有し、その内側全体に液晶表示パネル４１を設けている。液晶表示パネル４１は遊技に関係する各種情報を一つの画面に統合して表示する。また、当該液晶表示パネル４１には前記リールユニット１００に対向して前記図柄を透視させる略長方形の表示窓４２が形成されている。当該表示窓４２は液晶表示パネル４１の画面中央より若干下側に寄った位置に設けられている。遊技者は、表示窓４２を通して筐体２内に設けられているリールユニット１００の３列のリール１０１ａ、１０１ｂ、１０１ｃに描かれたそれぞれ上下方向３個の図柄を目視できるようになっている。
【００２１】
また、上部パネル部４の上部に位置する枠状部４０には、高輝度発光ダイオード等のランプ類を内蔵する演出用照明部４３と、ゲームに係る効果音を発生させるスピーカを内蔵する左右の演出用放音部４４ａ、４４ｂとが配置されている。
【００２２】
上部パネル部４の側部に位置する枠状部４０には、蛍光灯や高輝度発光ダイオードで形成された左右の演出用照明部４５ａ、４５ｂが設けられている。スロットマシン１は、ゲームの進行に応じて上述した複数の演出用照明部４３、４５ａ、４５ｂ等が点灯又は点滅することで、ゲームにおける視覚的な演出効果を高めるように形成されている。
【００２３】
なお、上部パネル部４、操作卓７、下部パネル部５、及び受皿ユニット６は、遊技者側に面し、これらによって「前面パネル部」が構成される。
【００２４】
操作卓７の上面右側には、メダルを投入するための投入口を有するメダル投入部７１が設けられている。また、当該上面の左側には、押しボタンスイッチである２個のベットボタン７２、７３が設けられている。
【００２５】
ベットボタン７２、７３はスロットマシンの１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。同様に、ベットボタン７３が押圧操作されることで３枚の当該ゲームにメダルが賭けられる。なお、ベットボタン７３は、最大枚数のメダルを賭けることから、特に「マックスベットボタン」と呼ばれている。
【００２６】
操作卓７の前面左側には、リール１０１ａ、１０１ｂ、１０１ｃの回転開始を指示するためのスタートレバー７４が設けられている。スタートレバー７４は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２７】
また、操作卓７の中央には、各リール１０１ａ、１０１ｂ、１０１ｃの回転停止をそれぞれ指示するためのストップボタン７５ａ、７５ｂ、７５ｃが各リールの配列に対応して並設されている。
【００２８】
スタートレバー７４、ストップボタン７５ａ、７５ｂ、７５ｃは、前記リール１０１ａ、１０１ｂ、１０１ｃの回転動作を操作するための操作手段となっている。
【００２９】
操作卓７の前面右側には、前扉３を開錠するための鍵が挿入される鍵穴７６が設けられている。スロットマシン１の管理者等が鍵穴７６に所定の鍵を挿入して開錠操作すると、蝶番機構１２、１３（図２参照）によって筐体２に取り付けられている前扉３を前方へ開くことができ、また前扉３を筐体２側に閉じると、自動的にこれらを施錠するようになっている。
【００３０】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂが配置されている。
【００３１】
次に、図２を参照して、筐体２の内部構造と前扉３の裏面構造とを説明する。同図において、筐体２の前面側には開口１１が形成されている。前扉３は、上下の蝶番１２、１３を介して前記筐体２の左側の枠に対して回動可能に取り付けられている。前扉３は、蝶番機構１２、１３を中心にして上から見て反時計回り回転させることで、前記開口１１を閉塞させることができる。
【００３２】
筐体２内の上部には、スロットマシン１の全体動作を集中制御するＣＰＵ（マイコン）を備え硬質プラスチックのケースに収納された主制御基板２０が取り付けられている。
【００３３】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３４】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３５】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００３６】
次に、前扉３の裏面側上部には、演出用照明部４３の光源である高輝度の発光ダイオードを発光させる発光駆動部３１が配設されると共に、上述の演出用放音部４４ａ、４４ｂに対向してスピーカ３２ａ、３２ｂが取り付けられている。尚、図示しないが演出用照明部４５ａ、４５ｂについても光源である高輝度の発光ダイオードを発光させる発光駆動部が配設さている。
【００３７】
前扉３の裏面側には、液晶表示パネル４１が取り付けられている。更に、液晶表示パネル４１の裏面側には、電気回路基板で形成され、硬質プラスチックの基板ケース３００に収納されたサブ制御基板３０が取り付けられている。基板ケース３００には、本実施形態の要部となるコネクタの引き抜き制限装置５００が設けられている。
【００３８】
なお、スロットマシン１全体の動作は、筐体２側に設けられている主制御基板２０によって統括制御されており、サブ制御基板３０は、液晶表示パネル４１による演出映像の表示制御、演出用照明部４３、４５ａ、４５ｂ、演出用放音部４４ａ、４４ｂ、６２ａ、６２ｂ（図１参照）を使った演出効果音制御など、ゲームの演出に係る制御を主に行っている。
【００３９】
サブ制御基板３０の下方には、リール１０１ａ、１０１ｂ、１０１ｃを目視させるための透明な表示窓４２が形成され、表示窓４２の下方には、前面側のスタートレバー７４及びストップボタン７５ａ、７５ｂ、７５ｃ等の操作スイッチ類の出力信号を主制御基板２０へ転送する中継基板として機能する中央表示基板３３が設けられている。
【００４０】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４１】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した左右の演出用放音部６２ａ、６２ｂ（図１参照）に対向する左右のスピーカ３８ａ、３８ｂが取り付けられている。
【００４２】
次に、図３のブロック図を参照して、スロットマシン１に設けられている制御システムについて説明する。
【００４３】
図３において、主制御基板２０は、ＣＰＵ２０１と、乱数発生装置２０２と、記憶部２０３と、タイマ２１２と、タイマ割込生成部２１３と、メダルクレジット手段２１４を備えている。
【００４４】
記憶部２０３は、ＲＯＭ、ＲＡＭ等の半導体メモリによって構成され、スロットマシンゲーム用のシステムプログラム２０４が予め記憶されている。主制御基板２０は、記憶部２０３に記憶されたシステムプログラム２０４に従ってＣＰＵ２０１が演算処理を実行することで、スロットマシン１全体の動作を統括制御している。
【００４５】
主制御基板２０には、ベットボタン７２、７３、スタートレバー７４、ストップボタン７５ａ、７５ｂ、７５ｃ等の操作スイッチ類、メダル選別装置３４のメダルセンサ３４ａ等の検出スイッチ類が配線ケーブルで接続されている。主制御基板２０は、前記スイッチ類からの出力信号によりゲームに係る操作を検出する。
【００４６】
主制御基板２０のメダルクレジット手段２１４は、メダル選別装置３４に投入されメダルセンサ３４ａにより検出されたメダルの枚数を、内部貯留しているメダルのクレジット数に加算する。
【００４７】
また、主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００４８】
また、主制御基板２０には、ホッパ装置２１等のメダル払出装置、及びサブ制御基板３０がそれぞれハーネス等の配線ケーブルによって接続されている。主制御基板２０は、入賞が確定した場合等において、ホッパ装置２１を制御することで、所定数のメダルを受皿部６ａに払い出す。
【００４９】
サブ制御基板３０は、主制御基板２０からの制御信号に基づいて演出装置１４０（図２に示した液晶表示パネル４１、発光駆動部３１、左右のスピーカ３２ａ、３２ｂ、左右のスピーカ３８ａ、３８ｂ等）を制御駆動することで、遊技者の視覚や聴覚に訴える演出をゲームの進行に応じて行っている。
【００５０】
また、主制御基板２０の記憶部２０３には、入賞抽選テーブル２０５及び内部抽選フラグ２０６が記憶されている。例えばＣＰＵ２０１は、スタートレバー７４が操作された時点で乱数発生装置２０２を起動して乱数値を取得し、入賞抽選テーブル２０５を参照することで、得られた乱数値に割り当てられた入賞役またはハズレを抽選する。そして、ＣＰＵ２０１は、乱数値に対応する入賞役が存在すると、それを当該ゲームの入賞役として抽選結果を当選にし、当該入賞役を記憶部２０３の内部抽選フラグ２０６に記憶する。ここでは、かかる入賞役の抽選方法を「内部抽選」と呼んでいる。
【００５１】
また、記憶部２０３には、図柄配列データ２０７、リール停止位置検索テーブル２０８、リール停止位置選択テーブル２０９等の書き換え不可の参照データテーブルが記憶され、更にリール停止コマフラグ２１０、リール制御フラグ２１１等の書き換え可能なデータフラグ用のメモリ領域が確保されている。これら参照データテーブル及びデータフラグは、リール１０１ａ、１０１ｂ、１０１ｃの回転及び停止制御の際に用いられる。
【００５２】
尚、タイマ２１２は、例えばリール１０１ａ、１０１ｂ、１０１ｃの自動停止制御を起動するまでの時間を計測する。タイマ割込生成部２１３は、各リール１０１ａ、１０１ｂ、１０１ｃのステッピングモータ１１０ａ、１１０ｂ、１１０ｃを制御するパルス信号（回胴駆動パルスデータ）の同期を取るためのものである。
【００５３】
次に、スロットマシン１におけるゲーム動作の概要を説明する。
【００５４】
スロットマシン１は、先のゲームにおいて入賞しメダルの配当が完了した時、又は先のゲームにおいてハズレが確定すると待機状態となる。この待機状態においては、当該状態を液晶表示パネル４１によって遊技者に示唆するとともにゲーム操作を促す待機モードの演出が行われる。次に、遊技者がメダル投入部７１にメダルを投入し何れかのベットボタン７２、７３を押圧操作することで、スロットマシン１は、内部に貯留したメダル（クレジット）から当該ゲームに所定枚数のメダルが賭けられゲームを準備する。
【００５５】
ゲーム準備の状態でスタートレバー７４が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０６に記憶される。
【００５６】
次に、遊技者により何れかのストップボタン７５ａ、７５ｂ、７５ｃが押圧操作されることで、主制御基板２０がリール停止の操作を検出すると、主制御基板２０は、押圧操作されたストップボタンに対応するリールを停止させる制御を行う。そして、主制御基板２０は、全てのリール１０１ａ、１０１ｂ、１０１ｃが停止したことを検知すると、各リールが表示する図柄と上述の内部抽選フラグ２０６に対応する入賞役に係る図柄の組み合せとが一致しているかどうか判定する。
【００５７】
役への入賞が確定すると、スロットマシン１は、主制御基板２０の制御に基づいて、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００５８】
次に、図４乃至図１１を参照して本実施形態の要部となるサブ制御基板３０を収納する基板ケース３００について説明する。
【００５９】
図４はサブ制御基板３０及び基板ケース３００の分解斜視図である。図５はコネクタの引き抜き制限装置５００を取り付ける前の基板ケース３００の斜視図である。図６はコネクタの引き抜き制限装置５００を取り付けた後の基板ケース３００の斜視図である。図７は基板ケース３００の平面図である。図８はサブ制御基板３０を収納した基板ケース３００の断面図である。図９はコネクタの引き抜き制限装置５００及びその周辺部を拡大して示す断面図である。図１０はコネクタカバー５０１の斜視図である。図１１はコネクタカバー５０１のコネクタ収納面側から見た図である。
【００６０】
図４において、サブ制御基板３０は、透明樹脂からなる基板ケース３００内に封止されるようになっている。
【００６１】
基板ケース３００は、サブ制御基板３０を収納して、サブ制御基板３０をスロットマシン１（図２参照）の内部における液晶表示パネル４１（図２参照）の裏面側に固定する、上面が開放した固定ケース３０１と、この固定ケース３０１の開放上面を塞ぎ、固定ケース３０１に収納されたサブ制御基板３０を封止するカバーケース３０２とを備えている。
【００６２】
サブ制御基板３０には、配線パターン３１０が形成され、配線パターン３１０と電気的に接続する基板側コネクタ３１１が固定されている。
【００６３】
ハーネス４００は、一端側に前記基板側コネクタ３１１と結合するハーネス側コネクタ４０１を有し、他端側に主制御基板２０（図２参照）の基板側コネクタと結合するハーネス側コネクタを有する。
【００６４】
基板ケース３００は、図５に示すように、サブ制御基板３０を収納し組み立てた状態で、短辺側の一側面３０４に前記ハーネス側コネクタ４０１が通過可能な開口部３０５を形成する。
【００６５】
図４において、コネクタの引き抜き制限装置５００は、基板側コネクタ３１１からハーネス側コネクタ４０１が引き抜かれるのを防止するためのものであり、コネクタカバー５０１と、ネジ５０２と、かしめ部材としてのかしめ用キャップ５０３とを備えている。
【００６６】
コネクタカバー５０１は、ネジ止め部５１１と、コネクタ押圧部５１２を一体的に形成したものである。ネジ止め部５１１は、前記基板ケース３００のカバーケース３０２にネジ５０２によりネジ止め固定される。
【００６７】
コネクタ押圧部５１２は、組み立てられた基板ケース３００にコネクタカバー５０１を取り付けた状態で、前記ハーネス側コネクタ４０１が前記基板側コネクタ３１１との結合を解除する方向に動くときの動作空間内に配置され、前記ハーネス側コネクタ４０１を前記基板ケース３００の内側方向に押圧することにより、前記ハーネス側コネクタ４０１の前記基板側コネクタ３１１との結合を解除する方向への動作を禁止する。また、コネクタ押圧部５１２には、前記ハーネス４００を挿入可能な切欠部５１３が形成されている。
【００６８】
かしめ用キャップ５０３は、前記ネジ止め部５１１とかしめにより結合した状態で、前記ネジ５０２を覆うことで前記ネジ５０２の外部からの操作を禁止する。
【００６９】
次に、サブ制御基板３０についてさらに詳細に説明する。
【００７０】
図４において、サブ制御基板３０の一面には、基板側コネクタ３１１、３１２、３１３、３１４、ＲＯＭ３１５、ＣＰＵ３１６等の電子部品が取り付けられている。サブ制御基板３０の四隅近傍には、ネジ３０６ａ、３０６ｂ、３０６ｃ、３０６ｄを挿入するための挿入孔３１７ａ、３１７ｂ、３１７ｃ、３１７ｄが形成されている。基板側コネクタ３１１は、複数の電極ピン３１８と絶縁筐体３１９とを備えている。絶縁筐体３１９は、凹形状に形成され、その凹部３２０をサブ制御基板３０の側方に向けて配置している。凹部３２０の内部には、複数の電極ピン３１８が所定ピッチの一列で植設されている。複数の電極ピン３１８先端側は、ハーネス側コネクタ４０１との結合面側に設けられている。複数の電極ピン３１８の基端側は、絶縁筐体３１９の背面側から突出し、サブ制御基板３０の配線パターン３１０に接続されている。
【００７１】
次に、ハーネス側コネクタ４０１について詳細に説明する。
【００７２】
ハーネス側コネクタ４０１は、図９に示すように、複数のジャック端子４０２と、凸形状に形成されたジャック絶縁体４０３とを備えている。
【００７３】
ジャック絶縁体４０３の先端面には複数の電極ピン挿入口４０４が設けられている。複数の電極ピン挿入口４０４は、ハーネス側コネクタ４０１と基板側コネクタ３１１が結合する場合に、それぞれ対応する電極ピン３１８が差し込まれるようになっている。
【００７４】
複数の電極ピン挿入口４０４の内部には、ジャック端子４０２が植設されている。ジャック端子４０２は、当該電極ピン挿入口４０４に挿入された電極ピン３１８と電気的に接続する。また、ジャック端子４０２はハーネス４００と電気的に接続している。
【００７５】
ジャック絶縁体４０３の基端側の外周には、フランジ部４０５（図４参照）が形成されている。
【００７６】
次に、基板ケース３００の固定ケース３０１についてさらに詳細に説明する。
【００７７】
図４において、固定ケース３０１は、上面が開放した断面略長方形の箱状の部材から構成されている。
【００７８】
固定ケース３０１の内側底面の四隅近傍には、サブ制御基板３０及びカバーケース３０２をネジ止めするための突起部３２１ａ、３２１ｂ、３２１ｃ、３２１ｄが形成されている。突起部３２１ａ、３２１ｂ、３２１ｃ、３２１ｄには、ネジ３０６ａ、３０６ｂ、３０６ｃ、３０６ｄを螺入するためのネジ孔３２２ａ、３２２ｂ、３２２ｃ、３２２ｄがそれぞれ形成されている。
【００７９】
また、固定ケース３０１の内側底面には、固定ケース３０１の強度を高めるためのリブ３２３やサブ制御基板３０の位置決めを行うための突起部３２４ａ、３２４ｂ、３２４ｃ、３２４ｄが形成されている。
【００８０】
固定ケース３０１の短辺側の両側壁３２５、３２６には、基板側コネクタ３１１、３１２を露出させるための切欠部３２７、３２８がそれぞれ形成されている。
【００８１】
固定ケース３０１の長辺側の両側壁３２９、３３０には、基板側コネクタ３１３、３１４を露出させるための切欠部３３１、３３２がそれぞれ形成されている。
【００８２】
さらに、固定ケース３０１の短辺側の側壁３２５の外側面には、コネクタカバー５０１の位置決めを行うコネクタカバー受部３３３が一体で形成されている。コネクタカバー受部３３３には、コネクタカバー５０１の突起部５１４、５１５がそれぞれ挿入される凹部３３４、３３５が形成されている。
【００８３】
次に、基板ケース３００のカバーケース３０２についてさらに詳細に説明する。
【００８４】
図４において、カバーケース３０２は下面が開放した断面略長方形の箱状の部材から構成されている。
【００８５】
カバーケース３０２の上面の四隅近傍には、図示しないかしめ用キャップが挿入され、かしめられる凹部３５１ａ、３５１ｂ、３５１ｃ、３５１ｄが形成されている。
【００８６】
凹部３５１ａ、３５１ｂ、３５１ｃ、３５１ｄの底面には、ネジ３０６ａ、３０６ｂ、３０６ｃ、３０６ｄのネジ部が挿入される、図７に示す挿入孔３５２ａ、３５２ｂ、３５２ｃ、３５２ｄが形成されている。
【００８７】
図４及び図７において、カバーケース３０２の上面には、空気を流通させるための複数の通気孔３５３を設けている。さらに、カバーケース３０２の上面には、サブ制御基板３０に搭載したＲＯＭ３１５に対向する位置に略長方形の凹部３５４を設けている。
【００８８】
凹部３５４を形成する壁面は、図８に示すように、基板ケース３００の内側に突出してＲＯＭ３１５に当接しており、基板ケース３００を組み立てた状態でサブ制御基板３０からＲＯＭ３１５を取り外せないようにしている。
【００８９】
図４及び図７において、カバーケース３０２の上面には、基板側コネクタ３１１に対向する位置にコネクタカバー５０１を取り付けるためのコネクタカバー取付け部３５５が形成されている。
【００９０】
図７において、カバーケース３０２の短辺側の両側壁３６１、３６２には、基板側コネクタ３１１、３１２（図４参照）を露出させるための切欠部３６３（図４参照）、３６４がそれぞれ形成されている。
【００９１】
カバーケース３０２の長辺側の両側壁３６５、３６６には、基板側コネクタ３１３、３１４（図４参照）を露出させるための切欠部３６７（図４参照）、３６８がそれぞれ形成されている。
【００９２】
さらに、カバーケース３０２の長辺側の側壁３６６の外側面には、スロットマシン１（図２参照）の内部における液晶表示パネル４１（図２参照）の裏面側にネジ止めするためのネジ止め部３６９ａ、３６９ｂが形成されている。
【００９３】
次に、コネクタカバー取付け部３５５についてさらに詳細に説明する。
【００９４】
図４及び図７において、コネクタカバー取付け部３５５は、側壁３６１側から凹部３８１、３８２が形成されている。
【００９５】
凹部３８２は凹部３８１より浅く形成されている。凹部３８２は、上面から見た場合、側壁３６３に向かって略拡開形状に形成されている。凹部３８１は、上面から見た場合、矩形に形成されている。コネクタカバー取付け部３５５には、凹部３８１側から凹部３８２側に突出して半円部３８３が形成され、この半円部３８３に重なる位置に、コネクタカバー５０１のネジ止め部５１１が挿入される凹部３８４が形成されている。
【００９６】
凹部３８４の底面には、ネジ５０２のネジ部が挿入されるねじ孔３８５が形成されている。
【００９７】
次に、コネクタの引き抜き制限装置５００のコネクタカバー５０１について詳細に説明する。
【００９８】
図４及び図９において、ネジ止め部５１１の周りには、カバーケース３０２の上面に対して平行に配置される上面部５２１が形成されている。コネクタ押圧部５１２は、カバーケース３０２の側壁３６１に対して平行に配置される。コネクタカバー５０１は、上面部５２１（図１０参照）とコネクタ押圧部５１２を傾斜部５２２を介して連設した構造になっている。
【００９９】
図４及び図１１に示すように、上面部５２１と傾斜部５２２とコネクタ押圧部５１２を連設した部分の両脇には、側壁５２３、５２４（図１１参照）が下方に向けて形成される。図９、図１０、図１１において、上面部のコネクタカバー５０１におけるコネクタ押圧部５１２の反対側には側壁５２５が下方に向けて形成されている。図１０、図１１において、側壁５２３と側壁５２５の間には上から見て側壁５２５に対して側壁５２３側に約４５度傾斜した側壁５２６が設けられている。同様に側壁５２４と側壁５２５の間には、上から見て側壁５２５に対して側壁５２４側に約４５度傾斜した側壁５２７が設けられている。
【０１００】
これら側壁５２３、５２４、５２５、５２６、５２７の下端は、図４に示すカバーケース３０２のコネクタカバー取付け部３５５の凹部３８１、３８２に合わせた形に形成されている。
【０１０１】
図９おいて、ネジ止め部５１１は、上面が開放した円筒形状に形成されている。ネジ止め部５１１の底壁５３１には、ネジ５０２のネジ部が挿入される貫通孔５３２が形成されている。
【０１０２】
ネジ止め部５１１の内面は、下から順に小径部５３３、中径部５３４、大径部５３５が形成されている。中径部５３４には、かしめ用キャップ５０３の爪部５５１、５５２が係止するスリット５３６、５３７が形成されている。中径部５３４には、かしめ用キャップ５０３の角度の位置決めを行うための平面部５３８（図４及び図１０参照）が側壁５２４側（図１１参照）に形成されている。また、図示しないが中径部５３４の側壁５２３側（図４及び図１０参照）にも、かしめ用キャップ５０３の角度の位置決めを行うための平面部が形成されている。
【０１０３】
図９において、ネジ止め部５１１の外周面は、下から順に小径部５４１、中径部５４２、大径部５４３が形成されている。小径部５４１は、コネクタカバー取付け部３５５の凹部３８４と略同径に形成されており、凹部３８４に挿入可能になっている。中径部５４２は、上面部５２１の下側に突出する。大径部５４３は上面部５２１の上側に突出する。
【０１０４】
次に、かしめ用キャップ５０３についてさらに詳細に説明する。
【０１０５】
図９において、かしめ用キャップ５０３は、下面が開放した円筒形状に形成されている。
【０１０６】
かしめ用キャップ５０３の外周面は、下から順に中径部５５３、大径部５５４が形成されている。中径部５５３は、コネクタカバー５０１の内周面の中径部５３４と略同径に形成されており、中径部５３４に挿入可能になっている。中径部５５３には、大径部５５４から所定間隔を置いて爪部５５１、５５２が形成されている。
【０１０７】
大径部５５４は、コネクタカバー５０１の内周面の大径部５３５と略同径に形成されており、大径部５３５に挿入可能になっている。かしめ用キャップ５０３は、上端から若干の間隔を置いて平面部５５５により上面が閉塞されている。
【０１０８】
図４に示すように、中径部５５３は、コネクタカバー５０１の中径部５３４の側壁５２３側の図示しない平面部及び側壁５２４側の平面部５３８に対応する位置に平面部５５６が２箇所（図では１箇所のみ表示）形成されている。
【０１０９】
以下、基板ケース３００及び引き抜き制限装置５００の組み立て方法について説明する。
【０１１０】
図４において、基板ケース３００にサブ制御基板３０を収納して組み立てる場合、まず、固定ケース３０１の上側からその開口にサブ制御基板３０を挿入し、その上からカバーケース３０２を被せる。
【０１１１】
次に、カバーケース３０２の凹部３５１ａ、３５１ｂ、３５１ｃ、３５１ｄの挿入孔３５２ａ、３５２ｂ、３５２ｃ、３５２ｄ（図７参照）に、それぞれネジ３０６ａ、３０６ｂ、３０６ｃ、３０６ｄのネジ部を挿入し、次に、サブ制御基板３０の挿入孔３１７ａ、３１７ｂ、３１７ｃ、３１７ｄに、それぞれネジ３０６ａ、３０６ｂ、３０６ｃ、３０６ｄのネジ部を挿入し、固定ケース３０１のネジ孔３２２ａ、３２２ｂ、３２２ｃ、３２２ｄにそれぞれネジ３０６ａ、３０６ｂ、３０６ｃ、３０６ｄのネジ部を螺入することで、固定ケース３０１に上側にサブ制御基板３０とカバーケース３０２をねじ止固定する。次に、基板側コネクタ３１１にハーネス側コネクタ４０１を差し込んで結合させることで図５の状態にする。この状態では、固定ケース３０１の切欠部３２７とカバーケース３０２の切欠部３６３によって開口部３０５が形成され、開口部３０５によってハーネス側コネクタ４０１が基板側コネクタ３１１から抜き差し可能な状態になる。
【０１１２】
この後、コネクタカバー５０１（図４参照）のコネクタ押圧部５１２の切欠部５１３にハーネス４００を挿入し、コネクタカバー取付け部３５５の凹部３８１、３８２にコネクタカバー５０１の側壁５２３、５２４、５２５、５２６、５２７（図１０及び図１１参照）の下方の一部を挿入すると同時に、コネクタカバー５０１の突起部５１４、５１５（図４参照）を固定ケース３０１の凹部３３４、３３５（図４参照）にそれぞれ挿入する。次に、図９に示すコネクタカバー５０１のネジ止め部５１１の底壁５３１の貫通孔５３２に、ネジ５０２のネジ部を挿入し、カバーケース３０２の凹部３８４のねじ孔３８５にネジ５０２のネジ部に螺入することで、コネクタカバー５０１をコネクタカバー取付け部３５５にねじ止め固定する。
【０１１３】
次に、かしめ用キャップ５０３を平面部５５６（図４参照）とコネクタカバー５０１の平面部５３８（図４参照）を合わせた状態で、かしめ用キャップ５０３をその下端からネジ止め部５１１の大径部５３５（図９参照）及び中径部５３４（図９参照）に挿入し、かしめ用キャップ５０３の爪部５５１、５５２（図９参照）をコネクタカバー５０１のスリット５３６、５３７（図９参照）に上端に係止させる。これにより、図６及び図９に示す状態となり、かしめ用キャップ５０３は、ネジ５０２を覆うことで、ネジ止め部５１１からネジ５０２を外せない状態にする。この状態でコネクタ押圧部５１２は、前記ハーネス側コネクタ４０１が前記基板側コネクタ３１１との結合を解除する方向に動くときの動作空間内に配置され、前記ハーネス側コネクタ４０１を前記基板ケース３００の内側方向に押圧することにより、前記ハーネス側コネクタ４０１の前記基板側コネクタ３１１との結合を解除する方向への動作を禁止する。
【０１１４】
尚、図示しないが、本実施形態では、カバーケース３０２の凹部３５１ａ、３５１ｂ、３５１ｃ、３５１ｄにもかしめ部材を取り付けることで、カバーケース３０２からネジ３０６ａ、３０６ｂ、３０６ｃ、３０６ｄを外せないようする。
【０１１５】
かかる構成のコネクタの引き抜き制限装置５００によれば、前記ネジ止め部５１１と一体に形成された前記コネクタ押圧部５１２は、前記ハーネス側コネクタ４０１の前記基板側コネクタ３１１との結合を解除する方向への動作を禁止し、前記かしめ用キャップ５０３は、前記ネジ止め部５１１とかしめにより結合した状態で、前記ネジ５０２を覆う。このため、当該コネクタの引き抜き制限装置５００を前記基板ケース３００から取り外す場合には、前記かしめ用キャップ５０３を破壊して、前記ネジ５０２を外部から操作できるようにする必要があるので、制御基板としてのサブ制御基板３０からハーネス側コネクタ４０１の引き抜くことを禁止にしているというメッセージが伝わり易く、サブ制御基板３０からハーネス側コネクタ４０１を引き抜く作業を困難にすることができる。したがって、正規のハーネスを不正なハーネスに取り替えようとする行為を抑止できる。
【０１１６】
また、引き抜き制限装置５００によれば、コネクタ押圧部５１２は、前記ハーネスを挿入可能な切欠部５１３を形成しているので、前記ハーネス４００を前記コネクタ押圧部５１２から容易に延出させることができる。
【０１１７】
ここで、図９において、基板ケース３００に引き抜き制限装置５００を取り付けた状態で、例えばハーネス側コネクタ４０１のジャック端子４０２と基板側コネクタ３１１の電極ピン３１８との間に埃が入って電気的な接触不良を起こした場合や、ハーネス４００が破損した場合等、ハーネス４００による電気的接続に異常が発生した場合、基板側コネクタ３１１に対してハーネス側コネクタ４０１の抜き差しのやり直しを行う必要が生じる。
【０１１８】
ハーネス側コネクタ４０１の抜き差しのやり直しを行う場合には、まず、かしめ用キャップ５０３を破壊し、ネジ５０２を外して、基板ケース３００からコネクタカバー５０１を外し、基板側コネクタ３１１から異常が発生したハーネス４００のハーネス側コネクタ４０１を外し、この後、基板側コネクタ３１１に正常な状態のハーネス４００のハーネス側コネクタ４０１を差し込んで結合させ、基板ケース３００にコネクタカバー５０１を取り付け、前記ネジ５０２によりコネクタカバー５０１をねじ止め固定し、新しく用意したかしめ用キャップ５０３をコネクタカバー５０１に取り付け、コネクタカバー５０１からネジ５０２を外せない状態にすることで、引き抜き制限装置５００によるハーネス側コネクタ４０１の引き抜き制限を行う。
【０１１９】
このように、引き抜き制限装置５００によれば、当該引き抜き制限装置５００によるハーネス側コネクタ４０１の引き抜き制限を解除し、前記基板側コネクタ３１１に対してハーネス側コネクタ４０１の抜き差しのやり直しを行い、再度引き抜き制限装置５００によりハーネス側コネクタ４０１の引き抜き制限行う場合にも、破壊するのは前記かしめ用キャップ５０３のみで、コネクタカバー５０１は再利用が可能になるので、この場合の費用を低く抑えることができる。
【０１２０】
尚、図１乃至図１１に示した実施形態では、コネクタの引き抜き制限装置５００をサブ制御基板３０用の基板ケース３００に適用したが、主制御基板２０用等の他の制御基板の基板ケースに適用してもよい。
【産業上の利用可能性】
【０１２１】
本発明は、スロットマシンに限らず、コネクタを介して制御基板とハーネスを接続するパチンコ機等その他の遊技機にも応用することができる。
【図面の簡単な説明】
【０１２２】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるサブ制御基板及び基板ケースの分解斜視図である。
【図５】図５は、本発明の一実施形態によるコネクタの引き抜き制限装置を取り付ける前の基板ケースの斜視図である。
【図６】図６は、本発明の一実施形態によるコネクタの引き抜き制限装置を取り付けた後の基板ケースの斜視図である。
【図７】図７は、本発明の一実施形態による基板ケースの平面図である。
【図８】図８は、本発明の一実施形態によるサブ制御基板を収納した基板ケースの断面図である。
【図９】図９は、本発明の一実施形態によるコネクタの引き抜き制限装置及びその周辺部を拡大して示す断面図である。
【図１０】図１０は、本発明の一実施形態によるコネクタカバーの斜視図である。
【図１１】図１１は、本発明の一実施形態によるコネクタカバーのコネクタ収納面側から見た図である。
【符号の説明】
【０１２３】
１…スロットマシン、  ２…筐体、  ３…前扉、  ４…上部パネル部、
５…下部パネル部、  ６…受皿ユニット、  ６ａ…受皿部、  ７…操作卓、
１１…開口、１２、１３…蝶番機構、２０…主制御基板、  
２１…ホッパ装置、  ２２…補助貯留部、２３…主電源装置、
２４…電源装置基板、  ２５…外部集中端子基板、３０…サブ制御基板、
３１…発光駆動部、３２ａ、３２ｂ…スピーカ、３３…中央表示基板、
３４…メダル選別装置、３５…ガイド部材、３６…ガイド部材、
３７…ガイド部材、３８ａ、３８ｂ…スピーカ、４０…枠状部、
４１…液晶表示パネル、４２…表示窓、４３…演出用照明部、
４４ａ、４４ｂ…演出用放音部、４５ａ、４５ｂ…演出用照明部、
５１…パネル、６１…メダル払出口、６２ａ、６２ｂ…演出用放音部、
７１…メダル投入部、７２、７３…ベットボタン、
７４…スタートレバー、７５ａ、７５ｂ、７５ｃ…ストップボタン、
７６…鍵穴、３００…基板ケース、１００…リールユニット、
１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、１４０…演出装置、
１３０…回胴装置基板、２０１…ＣＰＵ、２０２…乱数発生装置、
２０３…記憶部、２０４…システムプログラム、
２０５…入賞抽選テーブル、２０６…内部抽選フラグ、
２０７…図柄配列データ、２０８…リール停止位置検索テーブル、
２０９…リール停止位置選択テーブル、
２１０…リール停止コマフラグ、２１１…リール制御フラグ、
２１２…タイマ、２１３…タイマ割込生成部、
２１４…メダルクレジット手段、３００…基板ケース、
３０１…固定ケース、３０２…カバーケース、３０４…側面、
３０５…開口部、３０６ａ、３０６ｂ、３０６ｃ、３０６ｄ…ネジ、
３１０…配線パターン、３１１…基板側コネクタ、
３１１、３１２、３１４、３１５…基板側コネクタ、
３１５…ＲＯＭ、３１６…ＣＰＵ、
３１７ａ、３１７ｂ、３１７ｃ、３１７ｄ…挿入孔、
３１８…電極ピン、３１９…絶縁筐体、３２０…凹部、
３２１ａ、３２１ｂ、３２１ｃ、３２１ｄ…突起部、
３２２ａ、３２２ｂ、３２２ｃ、３２２ｄ…ネジ孔、３２３…リブ、
３２４ａ、３２４ｂ、３２４ｃ、３２４ｄ…突起部、
３２５、３２６…側壁、３２７、３２８…切欠部、
３２９、３３０…側壁、３３１、３３２…切欠部、
３３３…コネクタカバー受部、３３４、３３５…凹部、
３５１ａ、３５１ｂ、３５１ｃ、３５１ｄ…凹部、
３５２ａ、３５２ｂ、３５２ｃ、３５２ｄ…挿入孔、
３５３…通気孔、３５４…凹部、３５５…コネクタカバー取付け部、
３６１、３６２…側壁、３６３、３６４…切欠部、
３６５、３６６…側壁、３６７、３６８…切欠部、
３６９ａ、３６９ｂ…ネジ止め部、３８１、３８２…凹部、
３８３…半円部、３８４…凹部、３８５…ねじ孔、４００…ハーネス、
４０１…ハーネス側コネクタ、４０２…ジャック端子、
４０３…ジャック絶縁体、４０４…電極ピン挿入口、
４０５…フランジ部、５００…コネクタの引き抜き制限装置、
５０１…コネクタカバー、５０２…ネジ、
５０３…かしめ用キャップ、５１１…ネジ止め部、
５１２…コネクタ押圧部、５１３…切欠部、５１４、５１５…突起部、
５２１…上面部、５１２…コネクタ押圧部、５２２…傾斜部、
５２３、５２４、５２５、５２６、５２７…側壁、５３１…底壁、
５３２…貫通孔、５３３…小径部、５３４…中径部、５３５…大径部、
５３６、５３７…スリット、５３８…平面部、５４１…小径部、
５４２…中径部、５４３…大径部、５５１、５５２…爪部、
５５３…中径部、５５４…大径部、５５５、５５６…平面部
【図１】
2006218018.tif 000003
【図２】
2006218018.tif 000004
【図３】
2006218018.tif 000005
【図４】
2006218018.tif 000006
【図５】
2006218018.tif 000007
【図６】
2006218018.tif 000008
【図７】
2006218018.tif 000009
【図８】
2006218018.tif 000010
【図９】
2006218018.tif 000011
【図１０】
2006218018.tif 000012
【図１１】
2006218018.tif 000013